(57)【要約】オートサンプラは、サンプルループに試料を充填する際は注入バルブを試料充填状態にし、試料の充填が完了した後は注入バルブを中間状態に切り替えてサンプルループの一端のみを先に送液流路及び分析流路と接続する。その後、注入バルブを試料注入状態に切り替えてサンプルループを送液流路と分析流路との間に介在させることで、試料を分析流路へ注入する。
2019008665.tif 000002
【特許請求の範囲】
【請求項１】
試料容器から試料を吸入して採取する試料採取部と、
前記試料採取部により採取された試料を保持するサンプルループと、
移動相を送液する送液ポンプを有する送液流路が接続されるポンプポート、分析カラムへ通じる分析流路が接続されるカラムポート、前記サンプルループの一端が接続される第１ループポート及び前記サンプルループの他端が接続される第２ループポートを少なくとも含む複数の接続ポートを有するとともに、前記接続ポート間を連通させるための流路を有するロータを有し、前記ロータを回転させることによって前記各接続ポート間の連通状態を切り替える注入バルブと、を備え、
前記注入バルブは、前記ポンプポートと前記カラムポートとを連通させ、前記第１ループポート及び前記第２ループポートのいずれの接続ポートも前記ポンプポート及び前記カラムポートと連通させない試料充填状態、前記ポンプポートと前記カラムポートとを連通させると同時に前記第１ループポートを前記ポンプポート及び前記カラムポートと連通させ、前記第２ループポートを閉鎖する中間状態、前記ポンプポートを前記第１ループポート又は前記第２ループポートのうちの一方の接続ポートと連通させると同時に前記カラムポートを前記第１ループポート又は前記第２ループポートのうちの他方の接続ポートと連通させる試料注入状態のいずれかの状態に選択的に切り替えられるように構成されている、オートサンプラ。
【請求項２】
前記注入バルブは、前記ポンプポートと前記カラムポートとを前記ロータの前記流路を介して連通させながら前記試料充填状態から前記中間状態へ切り替えられるように構成されている、請求項１に記載のオートサンプラ。
【請求項３】
前記注入バルブは、前記ポンプポート又は前記カラムポートと前記第１ループポートとの間の連通が維持された状態で前記中間状態から前記試料注入状態へ切り替えられるように構成されている、請求項１又は２に記載のオートサンプラ。
【請求項４】
前記ロータを駆動する駆動機構と、
前記駆動機構の動作を制御するように構成された制御部と、を備え、
前記制御部は、前記試料充填状態から前記中間状態への切替えに要する時間が前記中間状態から前記試料注入状態への切替えに要する時間よりも長くなるように、前記駆動機構による前記ロータの駆動速度を制御するように構成された圧力変動緩和動作部を備えている、請求項１から３のいずれか一項に記載のオートサンプラ。
【請求項５】
前記ロータを駆動する駆動機構と、
前記駆動機構の動作を制御するように構成された制御部と、を備え、
前記制御部は、前記注入バルブが前記試料充填状態から前記中間状態に切り替わった後、一時的に停止してから前記中間状態から前記試料注入状態に切り替わるように前記駆動機構の動作を制御するように構成された圧力回復動作部を備えている、請求項１から４のいずれか一項に記載のオートサンプラ。
【請求項６】
移動相を送液する送液ポンプを有する送液流路と、
試料を成分ごとに分離するための分析カラム、及び前記分析カラムで分離された試料成分を検出するための検出器を有する分析流路と、
試料を保持するためのサンプルループを有するとともに、前記送液流路と前記分析流路とを前記サンプルループを介さないで接続する試料充填状態、前記送液流路と前記分析流路とを前記サンプルループを介して接続する試料注入状態、前記送液流路と前記分析流路とを接続しながら前記サンプルループの一端のみを前記送液流路及び前記分析流路に接続し、前記サンプルループの他端を閉鎖させた中間状態のいずれかの状態に選択的に切り替えられる注入バルブを有する請求項１から５のいずれか一項に記載のオートサンプラと、を備えた流体クロマトグラフ。
【請求項７】
前記送液ポンプは、前記オートサンプラの前記注入バルブが前記試料充填状態から前記中間状態に切り替わるとき、又は前記中間状態となっているときに、前記注入バルブが他の状態になっているときよりも送液流量を大きくするように構成されている、請求項６に記載の流体クロマトグラフ。
【発明の詳細な説明】
【技術分野】
【０００１】
本発明は、液体クロマトグラフ（ＬＣ）や超臨界流体クロマトグラフ（ＳＦＣ）などの流体クロマトグラフの分析流路に試料を自動的に注入するオートサンプラと、そのオートサンプラを用いた流体クロマトグラフに関するものである。
【背景技術】
【０００２】
高速液体クロマトグラフ（ＨＰＬＣ）のオートサンプラでは、ロータリー式の切替バルブが「注入バルブ」として一般に用いられる。注入バルブは、複数の接続ポートを有するステータと、それらの接続ポート間を連通させる流路を有するロータを備えている。そして、ロータを回転させることによって、連通する接続ポートの組合せが切り替えられる。【０００３】
注入バルブの接続ポートには、送液ポンプによって移動相が送液される送液流路のほか、分析カラムへ通じる分析流路、試料を一時的に保持するためのサンプルループが接続される。そして、注入バルブは、送液流路と分析流路とをサンプルループを介さずに接続する試料充填状態と、送液流路と分析流路とをサンプルループを介して接続する試料注入状態に選択的に切り替えられるように構成される。【０００４】
分析流路への試料注入動作は、次のようなステップにより実行される。まず、注入バルブが試料充填状態にされる。これにより、送液ポンプからの移動相がサンプルループを介さずに分析カラムへ直接的に流れる。このとき、サンプルループに試料が充填される。その後、注入バルブが試料注入状態に切り替えられ、サンプルループに充填された試料が移動相とともに分析カラムへ導入される。
【先行技術文献】
【特許文献】
【０００５】
【特許文献１】ＵＳ８０４７０６０Ｂ２
【特許文献２】ＵＳ７９１７２５０Ｂ２
【特許文献３】ＵＳ８３１２７６２Ｂ２
【特許文献４】ＵＳ９４３５７７３Ｂ２
【特許文献５】ＵＳ８８０６９２２Ｂ２
【特許文献６】特許第４９５５３４２号
【発明の概要】
【発明が解決しようとする課題】
【０００６】
注入バルブが試料充填状態から試料注入状態へ切り替わる途中の状態では、送液流路と分析流路との間の連通が一時的に遮断され、送液流路内の圧力はさらに上昇し、分析流路内の圧力は低下する。このように、注入バルブが試料充填状態から試料注入状態へ切り替えられる途中で送液流路と分析流路との間の連通が一時的に遮断されることにより、送液流路内と分析流路内に圧力変動が生じる。【０００７】
このような圧力変動を抑制するために、注入バルブが試料充填状態から試料注入状態へ切り替わる途中も送液流路と分析流路との間を連通させるための流路をステータに設けることが提案されている（特許文献１参照。）。これにより、注入バルブが試料充填状態から試料注入状態へ切り替わる途中も送液流路と分析流路との間の連通が遮断されないため、それに起因した圧力変動は抑制される。しかし、ステータにそのような流路を設けることは設計面から容易でなく、コストの増大にもなる。【０００８】
また、注入バルブは通常、試料充填状態から試料注入状態に切り替わる際に、送液流路とサンプルループの一端との間の接続、分析流路とサンプルループの他端との間の接続が同時にまたはわずかに時間差を設けてなされるように設計されている。しかし、注入バルブのステータやロータの加工組立誤差やロータの磨耗度合いによって、実際にはサンプルループの両端が設計意図通りに送液流路や分析流路と接続されないことがある。すなわち、注入バルブが試料充填状態から試料注入状態に切り替えられるときに、サンプルループの一端側から先に加圧される場合と他端側から先に加圧される場合があり、不確定な要素となる。【０００９】
サンプルループ内に充填された試料は、サンプルループの一方の端部側から先に加圧されると他方の端部側へ移動するため、そのような不確定要素が存在すると分析結果にばらつきが生じ、再現性が損なわれる。【００１０】
ところで、試料が充填された後のサンプルループは大気圧となっている。このため、注入バルブを試料充填状態から切り替えてサンプルループに送液流路や分析流路を接続すると、送液流路内と分析流路内の圧力が瞬間的に低下する。このような圧力降下は一般に「圧力ショック」と呼ばれている。【００１１】
圧力ショックによって送液流路内の圧力が瞬間的に低下すると、移動相の送液流量や移動相の組成に変動が生じ、分析再現性を損なうという問題がある。特に、ＳＦＣの場合には、超臨界状態になる移動相の急激な圧力変動は、移動相への試料溶解度の変動を生じ、試料成分の析出などの不具合の原因となる。また、圧力ショックによって分析流路内の圧力が瞬間的に低下すると、分析カラム内を移動相が逆流し、分析カラムの寿命に悪影響を与えるという問題もある。これらの問題は、特許文献１に開示された技術では防止することができない。【００１２】
そこで特許文献２では、送液ポンプの定圧制御動作に同期して試料注入動作を実行することで、このような圧力ショックを抑制する技術が開示されている。しかしこの技術では圧力ショックを完全に抑制することが困難である。圧力ショックの瞬間においては、典型的には数ｕＬの流量欠損が数ｍｓの短時間で発生する。そのため圧力ショックを完全に抑制しようとすると、送液ポンプが瞬間的に数ｕＬ／ｍｓ＝数ｍＬ／ｓ＝数十ｍＬ／ｍｉｎの流量を増加しなければならない。これは典型的な最大流量が数ｍＬ／ｍｉｎである送液ポンプの能力を大きく超える。よって抑制しきれない圧力ショックが残存する。【００１３】
特許文献３から６では、サンプルループの外部または内部に設けられた加圧手段を動作させることで、試料注入動作の前にサンプルループを予備加圧し、圧力ショックを抑制する技術が開示されている。しかし、これらの技術は、最大で１００ＭＰａを超えるような圧力までサンプルループを予備加圧できるような加圧手段を必要とする。このような加圧手段は高コストであり、また加圧手段の駆動機構や高耐圧シール等の信頼性を担保するための新たな課題が生じる。【００１４】
そこで、本発明は、注入バルブの切替え時に発生する流路内の圧力の変動を抑制するとともに注入バルブの切替え時の不確定要素による分析結果への影響を低減することを目的とするものである。さらに、大気圧のサンプルループが接続されることによる圧力ショックを緩和し、分析再現性やカラム寿命を向上させることを目的とする。
【課題を解決するための手段】
【００１５】
本発明に係るオートサンプラは、試料容器から試料を吸入して採取する試料採取部と、前記試料採取部により採取された試料を保持するサンプルループと、移動相を送液する送液ポンプを有する送液流路が接続されるポンプポート、分析カラムへ通じる分析流路が接続されるカラムポート、前記サンプルループの一端が接続される第１ループポート及び前記サンプルループの他端が接続される第２ループポートを少なくとも含む複数の接続ポートを有するとともに、前記接続ポート間を連通させるための流路を有するロータを有し、前記ロータを回転させることによって前記各接続ポート間の連通状態を切り替える注入バルブと、を備えている。そして、前記注入バルブは、前記ポンプポートと前記カラムポートとを連通させ、前記第１ループポート及び前記第２ループポートのいずれの接続ポートも前記ポンプポート及び前記カラムポートと連通させない試料充填状態、前記ポンプポートと前記カラムポートとを連通させると同時に前記第１ループポートを前記ポンプポート及び前記カラムポートと連通させ、前記第２ループポートを閉鎖する中間状態、前記ポンプポートを前記第１ループポート又は前記第２ループポートのうちの一方の接続ポートと連通させると同時に前記カラムポートを前記第１ループポート又は前記第２ループポートのうちの他方の接続ポートと連通させる試料注入状態のいずれかの状態に選択的に切り替えられるように構成されている。【００１６】
すなわち本発明のオートサンプラは、サンプルループに試料を充填する際は注入バルブを試料充填状態にし、試料の充填が完了した後は注入バルブを中間状態に切り替えてサンプルループの一端のみを先に送液流路及び分析流路と接続する。その後、注入バルブを試料注入状態に切り替えてサンプルループを送液流路と分析流路との間に介在させることで、試料を分析流路へ注入する。このように、注入バルブを試料充填状態から試料注入状態へ直接的に切り替えるのではなく、試料充填状態から中間状態、中間状態から試料注入状態へ段階的に切り替えることで、サンプルループの一端が必ず他端よりも先に送液流路及び分析流路と接続されて加圧される。これにより、注入バルブが試料充填状態から試料注入状態に切り替わる際にサンプルループのいずれの端部側から先に送液流路や分析流路と接続されるかについての不確定要素がなくなり、分析結果の再現性が向上する。【００１７】
さらに、注入バルブは、試料充填状態から中間状態に切り替わるときにポンプポートとカラムポートとの連通が維持されるので、これらの連通が一時的に遮断されることによる圧力の変動が抑制される。【００１８】
ここで、本発明に係るオートサンプラは、全量注入方式のものとループ注入方式のものの双方を含んでいる。ループ注入方式のオートサンプラでは、サンプルループの一端と他端の双方が注入バルブ１４の接続ポートに常時接続されている。一方で、全量注入方式の場合は、試料の吸入と吐出を行なうためのニードルの基端側にサンプルループが設けられており、サンプルループの一方の端部は注入バルブの接続ポートに常時接続されているものの、サンプルループの他方の端部はニードルの先端がインジェクションポートに挿入されて接続されたときに注入バルブの接続ポートに接続される。したがって、本発明における「第１ループポート」及び「第２ループポート」は、サンプルループの一端又は他端が常時接続される接続ポートのほか、ニードルがインジェクションポートに挿入されて接続されたときにサンプルループの一端又は他端が接続される接続ポートをも含む。【００１９】
なお、「第１ループポート」、「第２ループポート」の区別は、注入バルブが中間状態となったときにポンプポート及びカラムポートと接続される接続ポートが「第１ループポート」である。【００２０】
また、注入バルブの中間状態において「第２ループポートを閉鎖する」とは、第２ループポートを他のいずれの接続ポートとも連通させないか、又は第２ループポートを他の接続ポートと連通させるものの，連通している他の接続ポートに流体を流通させる流路が接続されていないか，閉鎖された流路が接続されていることによって、サンプルループの他端側が密閉されていることを意味する。注入バルブが中間状態となって第１ループポートがポンプポート及び絡むポートと連通したときに、サンプルループの他端側が密閉されていることでサンプルループ内の圧力を送液流路及び分析流路と同程度の圧力にまで高めることができる。【００２１】
ところで、試料が充填された後のサンプルループは大気圧となっている。このため、注入バルブを試料充填状態から切り替えてサンプルループに送液流路や分析流路を接続すると、送液流路内と分析流路内の圧力が瞬間的に低下する。このような圧力降下は一般に「圧力ショック」と呼ばれている。【００２２】
圧力ショックによって送液流路内の圧力が瞬間的に低下すると、移動相の送液流量や移動相の組成に変動が生じ、分析再現性を損なうという問題がある。特に、ＳＦＣの場合には、超臨界状態になる移動相の急激な圧力変動は、移動相への試料溶解度の変動を生じ、試料成分の析出などの不具合の原因となる。また、圧力ショックによって分析流路内の圧力が瞬間的に低下すると、分析カラム内を移動相が逆流し、分析カラムの寿命に悪影響を与えるという問題もある。これらの問題は、特許文献１に開示された技術では防止することができない。【００２３】
そこで、本発明に係るオートサンプラでは、前記ロータを駆動する駆動機構と、前記駆動機構の動作を制御するように構成された制御部と、を備え、前記制御部は、前記試料充填状態から前記中間状態への切替えに要する時間が前記中間状態から前記試料注入状態への切替えに要する時間よりも長くなるように、前記駆動機構による前記ロータの駆動速度を制御するように構成された圧力変動緩和動作部を備えていることが好ましい。そうすれば、注入バルブが試料充填状態から中間状態へ切り替わる際の第１ループポートへの接続部分の流路抵抗が高くなる時間が長くなり、それによって送液流路内や分析流路内の移動相がサンプルループへ急激に流れ込むことが抑制される。これにより、注入バルブが試料充填状態から中間状態へ切り替わるときの圧力ショックが緩和される。【００２４】
また、本発明に係るオートサンプラでは、前記ロータを駆動する駆動機構と、前記駆動機構の動作を制御するように構成された制御部と、を備え、前記制御部は、前記注入バルブが前記試料充填状態から前記中間状態に切り替わった後、一時的に停止してから前記中間状態から前記試料注入状態に切り替わるように前記駆動機構の動作を制御するように構成された圧力回復動作部を備えていることが好ましい。注入バルブが中間状態に切り替えられた後でその状態が一定時間維持されれば、その間に注入バルブが中間状態に切り替えられて送液流路や分析流路にサンプルループが接続されたときの送液流量や移動相の組成の変動をある程度収束させることができる。これにより、送液流量や移動相の組成が安定した状態で分析流路への試料の注入を行なうことができ、分析結果の再現性が向上する。【００２５】
本発明に係る流体クロマトグラフは、移動相を送液する送液ポンプを有する送液流路と、試料を成分ごとに分離するための分析カラム、及び前記分析カラムで分離された試料成分を検出するための検出器を有する分析流路と、試料を保持するためのサンプルループを有するとともに、前記送液流路と前記分析流路とを前記サンプルループを介さないで接続する試料充填状態、前記送液流路と前記分析流路とを前記サンプルループを介して接続する試料注入状態、前記送液流路と前記分析流路とを接続しながら前記サンプルループの一端のみを前記送液流路及び前記分析流路に接続し、前記サンプルループの他端を閉鎖させた中間状態のいずれかの状態に選択的に切り替えられる注入バルブを有する上述のオートサンプラと、を備えたものである。【００２６】
なお、流体クロマトグラフとは、液体クロマトグラフ又は超臨界流体クロマトグラフを意味する。【００２７】
本発明に係る流体クロマトグラフの好ましい実施形態では、前記送液ポンプは、前記オートサンプラの前記注入バル試料充填状態から中間状態に切り替わるとき、又は中間状態となっているときに、前記注入バルブが他の状態になっているときよりも送液流量を大きくするように構成されている。これにより、注入バルブが中間状態に切り替えられて一時的に低下した送液流路内の圧力が本来の送液圧力にまで回復するまでの時間が短くなり、分析サイクルの高速化を図ることができる。
【発明の効果】
【００２８】
本発明に係るオートサンプラでは、注入バルブを試料充填状態から中間状態、中間状態から試料注入状態へ段階的に切り替えることで、サンプルループの一端が必ず他端よりも先に送液流路及び分析流路と接続されて加圧されようになり、注入バルブが試料充填状態から試料注入状態に切り替わる際にサンプルループのいずれの端部側から先に送液流路や分析流路と接続されるのかという不確定要素がなくなり、分析結果の再現性が向上する。さらに、注入バルブは、試料充填状態から中間状態に切り替わるときにポンプポートとカラムポートとの連通が維持されるので、これらの連通が一時的に遮断されることによる圧力の変動が抑制される。【００２９】
本発明に係る流体クロマトグラフは、上記のオートサンプラを備えているので、流路内の圧力変動を抑制し、分析結果の再現性を向上させることができる。さらに、大気圧のサンプルループが接続されることによる圧力ショックを緩和し、分析再現性やカラム寿命を向上させることができる。
【図面の簡単な説明】
【００３０】
【図１】流体クロマトグラフの一実施例においてオートサンプラの注入バルブが試料充填状態となっているときの流路構成を示す図である。
【図２】同実施例においてオートサンプラの注入バルブのロータが２２．５度回転したときの流路構成を示す図である。
【図３】同実施例においてオートサンプラの注入バルブが中間状態となる直前の流路構成を示す図である。
【図４】同実施例においてオートサンプラの注入バルブが中間状態となっているときの流路構成を示す図である。
【図５】同実施例においてオートサンプラの注入バルブが試料注入状態となっているときの流路構成を示す図である。
【図６】同実施例の１段階注入による分析動作の一例を説明するためのフローチャートである。
【図７】同実施例の２段階注入による分析動作の一例を説明するためのフローチャートである。
【図８】同実施例の３段階注入による分析動作の一例を説明するためのフローチャートである。
【図９】１段階注入による分析動作を行なったときの各流路の圧力波形を示す図であり、（Ｂ）は（Ａ）における注入バルブを試料充填状態から中間状態へ切り替えた時間帯の圧力波形を拡大して示す図である。
【図１０】２段階注入による分析動作を行なったときの各流路の圧力波形を示す図であり、（Ｂ）は（Ａ）における注入バルブを試料充填状態から中間状態へ切り替えた時間帯の圧力波形を拡大して示す図である。
【図１１】３段階注入による分析動作を行なったときの各流路の圧力波形を示す図であり、（Ｂ）は（Ａ）における注入バルブを試料充填状態から中間状態へ切り替えた時間帯の圧力波形を拡大して示す図である。
【図１２】３段階注入による分析動作であって２段階目のロータ回転を図１１の３段階注入よりも低速で行なったときの各流路の圧力波形を示す図であり、（Ｂ）は（Ａ）における注入バルブを試料充填状態から中間状態へ切り替えた時間帯の圧力波形を拡大して示す図である。
【図１３】流体クロマトグラフの他の実施例においてオートサンプラの注入バルブが試料充填状態となっているときの流路構成を示す図である。
【図１４】同実施例においてオートサンプラの注入バルブが中間状態となっているときの流路構成を示す図である。
【図１５】同実施例においてオートサンプラの注入バルブが試料注入状態となっているときの流路構成を示す図である。
【図１６】流体クロマトグラフのさらに他の実施例においてオートサンプラの注入バルブが試料充填状態となっているときの流路構成を示す図である。
【図１７】同実施例においてオートサンプラの注入バルブが中間状態となっているときの流路構成を示す図である。
【図１８】同実施例においてオートサンプラの注入バルブが試料注入状態となっているときの流路構成を示す図である。
【図１９】流体クロマトグラフのさらに他の実施例においてオートサンプラの注入バルブが試料充填状態となっているときの流路構成を示す図である。
【図２０】同実施例においてオートサンプラの注入バルブが中間状態となっているときの流路構成を示す図である。
【図２１】同実施例においてオートサンプラの注入バルブが試料注入状態となっているときの流路構成を示す図である。
【発明を実施するための形態】
【００３１】
以下、本発明に係るオートサンプラ及び流体クロマトグラフの一実施例について、図面を用いて説明する。
【００３２】
まず、図１を用いてオートサンプラ及び流体クロマトグラフの一実施例の構成について説明する。以下の実施例では、流体クロマトグラフの一例として液体クロマトグラフを説明する。
【００３３】
この実施例の液体クロマトグラフはオートサンプラ２を備え、オートサンプラ２は注入バルブ１４を備えている。注入バルブ１４はロータリー式の切替バルブであり、複数の接続ポートＡ〜Ｆを有する。注入バルブ１４のロータ（図には表れていない）にはそれらの接続ポート間を連通させるための流路Ｘ、Ｙ、Ｚが設けられており、ロータを回転させることによってこの流体クロマトグラフの流路構成が切り替えられるようになっている。
【００３４】
オートサンプラ２は、注入バルブ１４のほか、先端にニードル２０を有し、ニードル２０の基端側にサンプルループ１８を有するサンプリング流路１６と、ニードル２０を鉛直方向と水平面内方向へ駆動する駆動機構（図示は省略）と、を備えている。これらは、試料容器２２に収容された試料をニードル２０の先端から吸入して採取する試料採取部をなしている。
【００３５】
オートサンプラ２の注入バルブ１４の接続ポートＡ〜Ｅは同一円周上において反時計回りにその順に配列されており、接続ポートＦは中央に配置されている。接続ポートＡとＢ、接続ポートＣとＤの間及び接続ポートＡとＥの間にはそれぞれロータの回転角度９０度に相当する間隔が設けられ、接続ポートＢとＣの間及び接続ポートＤとＥの間にはそれぞれロータの回転角度４５度に相当する間隔が設けられている。
【００３６】
注入バルブ１４の接続ポートＡにはサンプリング流路１６の基端が接続され、接続ポートＢにはシリンジ流路２６が接続され、接続ポートＣにはドレインへ通じる流路が接続され、接続ポートＤにはインジェクションポート２４が接続され、接続ポートＥには送液ポンプ６ａ、６ｂによって溶媒が送液される送液流路４が接続され、接続ポートＦには分析カラム１０へ通じる分析流路８が接続されている。
【００３７】
分析流路８上における分析カラム１０の下流には、分析カラム１０において分離された試料成分を検出するための検出器１２が設けられている。シリンジ流路２６は３方弁２８を介してシリンジポンプ３０の吸入・吐出口に接続されている。３方弁２８には洗浄液を収容する容器も接続されており、シリンジポンプ３０によって洗浄液を吸入し、シリンジ流路２６を介して洗浄液を供給することができるようになっている。
【００３８】
この実施例では、送液流路４が接続された接続ポートＥがポンプポートをなし、分析流路８が接続された接続ポートＦがカラムポートをなす。インジェクションポート２４が接続された接続ポートＤはニードル２０がインジェクションポート２４に挿入されて接続されたときにサンプルループ１８の一方の端部と接続される。サンプリング流路１６の基端が接続された接続ポートＡはサンプルループ１８の他方の端部と接続されている。したがって、これらの接続ポートＡとＤのいずれか一方が「第１ループポート」であり、他方が「第２ループポート」である。この実施例では、注入バルブ１４が中間状態になったときに接続ポートＤがポンプポートＥ及びカラムポートＦと接続されるため、接続ポートＤが「第１ループポート」をなし、接続ポートＡが「第２ループポート」をなす。
【００３９】
注入バルブ１４のロータに設けられた流路Ｘは、接続ポートＡ〜Ｅが設けられている円周と同一円周上に設けられたロータの回転角度４５度分の長さの円弧とその円弧の一端（流路Ｚ側の端部）と中央の接続ポートＦとを結ぶように半径方向に伸びる直線からなる略Ｌ字状の形状を有する。流路ＹとＺは接続ポートＡ〜Ｅが設けられている円周と同一円周上に設けられたロータの回転角度９０度分の長さの円弧状の流路である。流路Ｘ、Ｙ、Ｚは互いの間にロータの回転角度４５度分に相当する間隔を有する。
【００４０】
注入バルブ１４は、流路Ｘを介して接続ポートＥ−Ｆ間を連通させると同時に流路Ｙを介して接続ポートＡ−Ｂ間を連通させる試料充填状態（図１の状態）、流路Ｘを介して接続ポートＥ−Ｄ−Ｆ間を連通させ、接続ポートＡを他のいずれのポートとも連通させない中間状態（図４の状態）、流路Ｙを介して接続ポートＡ−Ｅ間を連通させると同時に流路Ｘを介して接続ポートＤ−Ｆ間を連通させる試料注入状態（図５の状態）のいずれかの状態に選択的に切り替えられるようになっている。
【００４１】
注入バルブ１４が試料充填状態になると、図１に示されているように、送液流路４と分析流路８とが連通すると同時にサンプリング流路１６とシリンジ流路２６とが連通する。これにより、送液ポンプ６によって送液される移動相はサンプルループ１８を介さずに直接的に分析流路８へ流れる。このとき、サンプリング流路１６の基端はシリンジ流路２６と連通しているため、シリンジポンプ３０を駆動することによってニードル２０の先端から試料の吸入を行なうことができる。ニードル２０の先端から吸入された試料はサンプルループ１８に充填される。
【００４２】
注入バルブ１４が中間状態になると、図４に示されているように、インジェクションポート２４が送液流路４及び分析流路８と連通する。このとき、ニードル２０の先端がインジェクションポート２４に挿入されて接続されていることで、サンプリング流路１６が送液流路４及び分析流路８と接続された先端側から加圧される。
【００４３】
注入バルブ１４が試料注入状態になると、図５に示されているように、送液流路４がサンプリング流路１６の基端と連通し、インジェクションポート２４が分析流路８と連通する。このとき、ニードル２０の先端がインジェクションポート２４に挿入されて接続されていることで、送液流路４と分析流路８との間にサンプルループ１８が介在した状態となる。この状態では、送液流路４からの移動相によってサンプルループ１８に充填された試料が分析流路８へ搬送され、分析カラム１０に導入される。分析カラム１０に導入された試料は成分ごとに分離し、各試料成分が検出器１２によって検出される。
【００４４】
注入バルブ１４の中間状態（図４の状態）は、試料充填状態（図１の状態）からロータを時計回りに４５度回転させた状態である。注入バルブ１４を試料充填状態から中間状態へ切り替える間、接続ポートＥ−Ｆ間は流路Ｘを介して連通したままである。注入バルブ１４を試料充填状態から中間状態へ切り替える間に送液流路４と分析流路８との間の連通が遮断されないので、送液流路４内及び分析流路８内の圧力変動が抑制される。
【００４５】
注入バルブ１４の試料注入状態（図５の状態）は、中間状態（図４の状態）からロータをさらに時計回りに４５度回転させた状態である。注入バルブ１４を中間状態から試料注入状態へ切り替える間、接続ポートＤ−Ｆ間は流路Ｘを介して連通したままである。一方で、接続ポートＡ−Ｅ間は注入バルブ１４が試料注入状態になって初めて連通する。すなわち、この実施例では、注入バルブ１４を試料充填状態、中間状態、試料注入状態の順に切り替えていくことで、試料充填後のサンプルループ１８内が加圧される方向を常に一定にすることができる。
【００４６】
図１に示されているように、注入バルブ１４のロータを駆動する駆動機構（図示は省略）の動作は、制御部３２によって制御される。制御部３２は、オートサンプラ２専用のコンピュータ、液体クロマトグラフ専用のコンピュータ、又は汎用のパーソナルコンピュータによって実現されるものである。制御部３２は、液体クロマトグラフによる分析の各工程が実行されるように、注入バルブ１４を適宜必要な状態に切り替えるように構成されている。
【００４７】
液体クロマトグラフによる通常の分析動作について図６のフローチャートを用いて説明すると、まず注入バルブ１４を試料充填状態（図１の状態）にし（ステップＳ１）、ニードル２０の先端から試料を吸入してサンプルループ１８に試料を充填する（ステップＳ２）。その後、注入バルブ１４のロータを時計回りに９０度、通常速度（高速）で回転させ、注入バルブ１４を試料注入状態（図５の状態）に切り替える（ステップＳ３）。注入バルブ１４が試料注入状態になると、サンプルループ１８に充填された試料が分析流路８へ導入され、試料の分析が行われる（ステップＳ４）。
【００４８】
このように、注入バルブ１４を試料充填状態（図１の状態）から試料注入状態（図５の状態）まで通常速度（高速）で切り替えて分析流路８に試料を注入することを、ここでは「１段階注入」と称する。注入バルブ１４を試料充填状態から試料注入状態へ切り替える際に一瞬ではあるが中間状態を経るため、注入バルブ１４内が試料注入状態になるまでの間にサンプルループ１８内の圧力がある程度高められ、サンプルループ１８内が加圧される方向を常に一定にすることができる。
【００４９】
図９（Ａ）は上記のような１段階注入による分析を行なったときの各流路の圧力波形であり、同図（Ｂ）は（Ａ）において注入バルブ１４が切り替えられてサンプルループ１８の一端が送液流路４と分析流路８の間に接続された時間帯を拡大した図である。これらの図からわかるように、注入バルブ１４のロータが回転し、注入バルブ１４が中間状態になった瞬間、送液流路４と分析流路８の圧力が低下し、サンプルループ１８の圧力が上昇している。
【００５０】
図１に示されているように、制御部３２は、上記のような１段階注入による分析に加えて、より多段階の注入による分析を実行することができるように、圧力回復動作部３４と圧力変動緩和動作部３６を備えている。圧力回復動作部３４と圧力変動緩和動作部３６は、所定のプログラムを演算素子が実行することによって得られる制御部３２の機能である。
【００５１】
圧力回復動作部３４は、注入バルブ１４の切替え動作に伴う送液流路４と分析流路８の圧力の低下を回復させる圧力回復動作を注入バルブ１４に行なわせるように構成されている。圧力回復動作とは、注入バルブ１４を試料充填状態（図１の状態）から試料注入状態（図５の状態）に切り替える際に、その途中の中間状態（図４の状態）で一時的に停止させ、その後、試料注入状態（図５の状態）に切り替える動作である。注入バルブ１４が中間状態で停止している間に、送液流路４と分析流路８の間にサンプルループ１８の一端が接続されたときに低下した送液流路４及び分析流路８内の圧力を回復させることができる。
【００５２】
圧力変動緩和動作部３６は、注入バルブ１４の切替え動作時の圧力変動を緩和させる圧力変動緩和動作を注入バルブ１４に行なわせるように構成されている。圧力変動緩和動作とは、注入バルブ１４が試料充填状態（図１の状態）から中間状態（図４の状態）に切り替わるまでに要する時間が、中間状態（図４の状態）から試料注入状態（図５の状態）に切り替わるまでに要する時間よりも長くなるようにすることで、図３のように注入バルブ１４が中間状態になる直前の状態が切替えに要する時間を同等とした場合よりも長い時間存在するようにする動作である。注入バルブ１４が中間状態になる直前の状態とは、サンプルループ１８の一端が接続された接続ポートＤ（第１ループポート）と流路Ｘとが僅かに接続され、接続ポートＤと流路Ｘとの接続部分の流路抵抗が、接続ポートＥ（ポンプポート）と流路Ｘとの接続部分の流路抵抗や、接続ポートＦ（カラムポート）と流路Ｘとの接続部分の流路抵抗よりも大きい状態である。このような状態が切替えに要する時間を同等とした場合よりも長い時間存在することで、サンプルループ１８への移動相の流入が緩やかになり、送液流路４と分析流路８との間にサンプルループ１８の一端が接続されたときの圧力の変動を緩やかなものにすることができ、圧力ショックが緩和される。このような動作は，試料充填状態（図１の状態）から中間状態（図４の状態）への切り替え時間の全部又は後半の一部において、ロータの駆動速度を通常速度よりも遅い低速にすることで実現される。ここで、通常速度とは注入バルブ１４が中間状態（図４の状態）から試料注入状態（図５の状態）に切替わるときのロータの駆動速度である。
【００５３】
上記の圧力回復動作を組み込んだ２段階注入による分析について、図７のフローチャートを用いて説明する。
【００５４】
まず、１段階注入による分析と同様に、注入バルブ１４を試料充填状態（図１の状態）にしてサンプルループ１８への試料の充填を行ない（ステップＳ１１、Ｓ１２）、その後、注入バルブ１４のロータを時計回りに４５度、通常速度（高速）で回転させて中間状態（図４の状態）にする（ステップＳ１３）。注入バルブ１４を中間状態で所定時間（例えば３秒間）停止させた後（ステップＳ１４）、ロータを時計回りにさらに４５度、通常速度（高速）で回転させて注入バルブ１４を試料注入状態（図５の状態）にし（ステップＳ１５）、試料の分析を行なう（ステップＳ１６）。
【００５５】
上記の２段階注入による分析では、注入バルブ１４を試料充填状態から中間状態に切り替えたときに低下した送液流路４及び分析流路８内の圧力を、注入バルブ１４を中間状態で停止させている間に回復させることができる。そして、その後に注入バルブ１４を試料注入状態にして分析を開始することで、流入バルブ１４による切替えによって生じた移動相の送液流量や移動相の組成の変動の影響を抑制した状態で分析を開始することができ、分析結果の再現性を１段階注入による分析よりもさらに向上させることができる。
【００５６】
図１０（Ａ）は上記の２段階注入による分析を行なったときの各流路の圧力波形であり、同図（Ｂ）は（Ａ）において注入バルブ１４が切り替えられてサンプルループ１８の一端が送液流路４と分析流路８の間に接続された時間帯を拡大した図である。これらの図からわかるように、注入バルブ１４が中間状態になった瞬間、送液流路４と分析流路８の圧力が低下しているが、注入バルブ１４が一定時間、中間状態で維持されることによって送液流路４及び分析流路８内の圧力がある程度回復し、その後、注入バルブ１４が試料注入状態に切り替えられた後も、これらの流路内の圧力が安定している。
【００５７】
なお、注入バルブ１４が試料充填状態から中間状態に切り替わるときや、注入バルブ１４を中間状態で停止させている間に、送液ポンプ６による移動相の送液流量を大きくしてもよい。これにより、送液流路４や分析流路８内の圧力の回復速度が向上し、注入バルブ１４を中間状態で停止させる時間をより短くすることができ、分析サイクルの高速化を図ることができる。送液流量の増加は，試料注入動作前の圧力を目標値とする定圧制御によっても良いし、所定の流量を所定の時間増加させる方法によっても良い。
【００５８】
上記の圧力回復動作及び圧力変動緩和動作を組み込んだ３段階注入による分析について、図８のフローチャートを用いて説明する。
【００５９】
まず、１段階注入による分析、２段階注入による分析と同様に、注入バルブ１４を試料充填状態（図１の状態）にしてサンプルループ１８への試料の充填を行ない（ステップＳ２１、Ｓ２２）、その後、図２に示されているように、注入バルブ１４のロータを時計回りに２２．５度、通常速度（高速）で回転させる（ステップＳ２３）。図２の状態から、注入バルブ１４のロータを時計回りにさらに２２．５度、通常速度よりも遅い低速度で回転させ流入バルブ１４を中間状態（図４の状態）にする（ステップＳ２４）。これにより、図３のように注入バルブ１４が中間状態になる直前の状態が、ロータを通常速度で回転させた場合に比べて長くとられ、圧力ショックが緩和される。注入バルブ１４を中間状態で所定時間（例えば３秒間）停止させた後（ステップＳ２５）、ロータを時計回りにさらに４５度、通常速度（高速）で回転させて注入バルブ１４を試料注入状態（図５の状態）にし（ステップＳ２６）、試料の分析を行なう（ステップＳ２７）。
【００６０】
上記の３段階注入による分析では、上記の２段階注入による効果に加えて、注入バルブ１４が試料充填状態（図１の状態）から中間状態（図４の状態）に切り替わる直前の状態、すなわち接続ポートＤと流路Ｘとの接続部分の流路抵抗が、接続ポートＥ（ポンプポート）と流路Ｘとの接続部分の流路抵抗や、接続ポートＦ（カラムポート）と流路Ｘとの接続部分の流路抵抗よりも大きい状態が、ロータを通常速度で回転させた場合よりも長くとられるので、送液流路４と分析流路８との間にサンプルループ１８の一端が接続されたときの圧力ショックが緩和される。
【００６１】
図１１（Ａ）は上記の３段階注入による分析を行なったときの各流路の圧力波形であり、同図（Ｂ）は（Ａ）において注入バルブ１４が切り替えられてサンプルループ１８の一端が送液流路４と分析流路８の間に接続された時間帯を拡大した図である。これらの図から、サンプルループ１８の一端が送液流路４と分析流路８の間に接続された瞬間の送液流路４及び分析流路８内の圧力の変動が、図１０よりもさらに緩やかになっていることが確認できる。これにより、圧力ショックが緩和され、移動相の送液流量や移動相の組成の乱れが抑制され、分析カラム１０の寿命が向上する。
【００６２】
図１２は上記の３段階注入における圧力変動緩和動作のロータの駆動速度を図１１のものよりもさらに低速度にした場合の各流路の圧力波形である。この図から、分析流路８内の圧力の変動が図１１のものよりもさらに緩やかになっていることが確認できる。これにより、圧力変動緩和動作のロータの駆動速度を遅くするほど圧力ショックを緩和する効果が大きくなり、分析カラム１０の寿命を向上させる効果が向上することがわかる。このことから、ロータの回転速度を適宜調整することで、分析サイクルの高速化とカラム寿命の向上の効果のバランスをとることができる。
【００６３】
このような圧力変動緩和動作のさらなるメリットとして，前述の送液ポンプによる送液流量の増加動作との組合せが挙げられる。すなわち、圧力変動緩和動作によって送液流路４及び分析流路８内の圧力がより長い時間をかけて変動するため、変動を打ち消すための送液流量増加幅が小さく抑えられる。そのため、送液ポンプの送液能力内で圧力変動を打ち消すことが容易になる。
【００６４】
なお、一般的な考え方では、注入バルブ１４の切替えによる圧力ショックを抑制するために、切替バルブ１４の切替えを高速で行なうことがよいとされてきた。これに対し、本発明者らは、圧力ショックが発生する瞬間、すなわちサンプルループ１８が送液流路４や分析流路８に接続され始める段階でのロータの回転速度を遅くすればするほど、注入バルブ１４の切替えによる圧力ショックが緩和されることを見出した。
【００６５】
次に、オートサンプラ及び液体クロマトグラフの他の実施例について、図１３から図１５を用いて説明する。なお、図１３から図１５において、図１から図５に示されている構成要素と同じ機能を果たす構成要素には同一の符号を付し、その詳細な説明を省略する。
【００６６】
この実施例のオートサンプラ２ａの注入バルブ１４ａも、図１から図５を用いて説明した実施例のオートサンプラ２と同様に、試料充填状態（図１３の状態）、中間状態（図１４の状態）及び試料注入状態（図１５の状態）のいずれかの状態に選択的に切り替えられるように構成されている。
【００６７】
注入バルブ１４ａの接続ポートＡ〜Ｅは同一円周上において反時計回りにその順に配列されており、接続ポートＦは中央に配置されている。接続ポートＡとＢ、接続ポートＣとＤの間及び接続ポートＤとＥの間にはそれぞれロータの回転角度９０度に相当する間隔が設けられ、接続ポートＢとＣの間及び接続ポートＡとＥの間にはそれぞれロータの回転角度４５度に相当する間隔が設けられている。
【００６８】
注入バルブ１４ａの接続ポートＡにはサンプリング流路１６の基端が接続され、接続ポートＢにはシリンジ流路２６が接続され、接続ポートＣにはドレインへ通じる流路が接続され、接続ポートＤにはインジェクションポート２４が接続され、接続ポートＥには分析流路８が接続され、接続ポートＦには送液流路４が接続されている。
【００６９】
接続ポートＥはカラムポートをなし、接続ポートＦはポンプポートをなす。この実施例では、図１から図５に示した実施例とは逆に、注入バルブ１４ａが中間状態（図１４の状態）になったときに接続ポートＡがポンプポートＥ及びカラムポートＦと接続されるように構成されている。したがって、接続ポートＡが「第１ループポート」をなし、接続ポートＤが「第２ループポート」をなす。
【００７０】
注入バルブ１４ａのロータに設けられた流路Ｘは、接続ポートＡ〜Ｅが設けられている円周と同一円周上に設けられたロータの回転角度４５度分の長さの円弧とその円弧の一端（流路Ｙ側の端部）と中央の接続ポートＦとを結ぶように半径方向に伸びる直線からなる略Ｌ字状の形状を有する。流路ＹとＺは接続ポートＡ〜Ｅが設けられている円周と同一円周上に設けられたロータの回転角度９０度分の長さの円弧状の流路である。流路Ｘ、Ｙ、Ｚは互いの間にロータの回転角度４５度分に相当する間隔を有する。
【００７１】
この実施例では、注入バルブ１４ａのロータを、試料充填状態（図１３の状態）から反時計回りに４５度回転させることによって中間状態（図１４の状態）になり、さらに反時計回りに４５度回転させることによって試料注入状態（図１５の状態）になる。
【００７２】
図１から図５に示した実施例とは逆に、この実施例では、注入バルブ１４ａが中間状態になると、図１４に示されているように、サンプリング流路１６の基端が送液流路４及び分析流路８と連通する。このとき、ニードル２０の先端がインジェクションポート２４に挿入されて接続されていることで、サンプリング流路１６が基端側から加圧される。
【００７３】
注入バルブ１４ａが試料充填状態及び試料注入状態になったときの流路構成は図１から図５の実施例と同様である。この実施例においても、図７や図８のフローチャートに示されるような、圧力回復動作や圧力変動緩和動作を組み込んだ多段階の注入による分析を行なうことができる。そのような多段階注入による分析を行なうことで、注入バルブ１４ａの切替えに伴う送液流路４及び分析流路８内の圧力変動を抑制することができ、分析結果の再現性の向上や分析カラム１０の寿命の向上を図ることができる。
【００７４】
図１６から図１８は、オートサンプラ及び液体クロマトグラフのさらに別の実施例を示している。図１６から図１８においても、図１から図５に示されている構成要素と同じ機能を果たす構成要素には同一の符号を付し、その詳細な説明を省略する。
【００７５】
この実施例のオートサンプラ２ｂの注入バルブ１４ｂも、図１から図５を用いて説明した実施例のオートサンプラ２と同様に、試料充填状態（図１６の状態）、中間状態（図１７の状態）及び試料注入状態（図１８の状態）のいずれかの状態に選択的に切り替えられるように構成されている。
【００７６】
この実施例の注入バルブ１４ｂは、すべての接続ポートＡ〜Ｆが同一円周上において反時計回りにその順に配列されている。接続ポートＡ−Ｂ間とＣ−Ｄ間にはそれぞれ、ロータの回転角度で８０度分に相当する間隔が設けられている。接続ポートＢ−Ｃ間、Ｄ−Ｅ間及びＥ−Ｆ間にはそれぞれ、ロータの回転角度で４０度分に相当する間隔が設けられている。
【００７７】
注入バルブ１４ｂのロータには、３つの円弧上の流路Ｘ、Ｙ、Ｚが設けられている。流路Ｘ、Ｙ、Ｚはいずれもロータの回転角度で８０度分に相当する長さをもち、互いの間にロータの回転角度で４０度分に相当する間隔をもつ。
【００７８】
注入バルブ１４ｂの接続ポートＡにはサンプリング流路１６の基端が接続され、接続ポートＢにはシリンジ流路２６が接続され、接続ポートＣにはドレインへ通じる流路が接続され、接続ポートＤにはインジェクションポート２４が接続され、接続ポートＥには分析流路８が接続され、接続ポートＦには送液流路４が接続されている。
【００７９】
接続ポートＥはカラムポートをなし、接続ポートＦはポンプポートをなす。この実施例では、図１から図５に示した実施例と同様に、注入バルブ１４ｂが中間状態（図１７の状態）になったときに接続ポートＤが流路Ｘを介してカラムポートＥ及びポンプポートＦと接続されるように構成されている。したがって、接続ポートＤが「第１ループポート」をなし、接続ポートＡが「第２ループポート」をなす。
【００８０】
この実施例では、注入バルブ１４ｂのロータを、試料充填状態（図１６の状態）から時計回りに４０度回転させることによって中間状態（図１７の状態）になり、さらに時計回りに４０度回転させることによって試料注入状態（図１８の状態）になる。
【００８１】
この実施例においても、図７や図８のフローチャートに示されるような、圧力回復動作や圧力変動緩和動作を組み込んだ多段階の注入による分析を行なうことができる。そのような多段階注入による分析を行なうことで、注入バルブ１４ｂの切替えに伴う送液流路４及び分析流路８内の圧力変動を抑制することができ、分析結果の再現性の向上や分析カラム１０の寿命の向上を図ることができる。
【００８２】
図１９から図２１は、オートサンプラ及び液体クロマトグラフのさらなる別の実施例を示している。図１９から図２１においても、図１から図５に示されている構成要素と同じ機能を果たす構成要素には同一の符号を付し、その詳細な説明を省略する。
【００８３】
この実施例のオートサンプラ２ｃの注入バルブ１４ｃも、図１から図５を用いて説明した実施例のオートサンプラ２と同様に、試料充填状態（図１９の状態）、中間状態（図２０の状態）及び試料注入状態（図２１の状態）のいずれかの状態に選択的に切り替えられるように構成されている。
【００８４】
この実施例の注入バルブ１４ｃも、図１６から図１８を用いて説明した実施例におけるオートサンプラ２ｂの注入バルブ１４ｂと同様に、すべての接続ポートＡ〜Ｆが同一円周上において反時計回りにその順に配列されている。接続ポートＡ−Ｂ間、Ｃ−Ｄ間及びＤ−Ｅ間にはそれぞれ、ロータの回転角度で８０度分に相当する間隔が設けられている。接続ポートＢ−Ｃ間、Ｅ−Ｆ間及びＡ−Ｆ間にはそれぞれ、ロータの回転角度で４０度分に相当する間隔が設けられている。
【００８５】
注入バルブ１４ｂのロータには、３つの円弧上の流路Ｘ、Ｙ、Ｚが設けられている。流路Ｘ、Ｙ、Ｚはいずれもロータの回転角度で８０度分に相当する長さをもち、互いの間にロータの回転角度で４０度分に相当する間隔をもつ。
【００８６】
注入バルブ１４ｂの接続ポートＡにはサンプリング流路１６の基端が接続され、接続ポートＢにはシリンジ流路２６が接続され、接続ポートＣにはドレインへ通じる流路が接続され、接続ポートＤにはインジェクションポート２４が接続され、接続ポートＥには分析流路８が接続され、接続ポートＦには送液流路４が接続されている。
【００８７】
接続ポートＥはカラムポートをなし、接続ポートＦはポンプポートをなす。この実施例では、図１３から図１５に示した実施例と同様に、注入バルブ１４ｃが中間状態（図２０の状態）になったときに接続ポートＡが流路Ｘを介してカラムポートＥ及びポンプポートＦと接続されるように構成されている。したがって、接続ポートＡが「第１ループポート」をなし、接続ポートＤが「第２ループポート」をなす。
【００８８】
この実施例では、注入バルブ１４ｃのロータを、試料充填状態（図１９の状態）から反時計回りに４０度回転させることによって中間状態（図２０の状態）になり、さらに反時計回りに４０度回転させることによって試料注入状態（図２１の状態）になる。
【００８９】
この実施例においても、図７や図８のフローチャートに示されるような、圧力回復動作や圧力変動緩和動作を組み込んだ多段階の注入による分析を行なうことができる。そのような多段階注入による分析を行なうことで、注入バルブ１４ｃの切替えに伴う送液流路４及び分析流路８内の圧力変動を抑制することができ、分析結果の再現性の向上や分析カラム１０の寿命の向上を図ることができる。
【００９０】
以上において説明した実施例では、サンプルループ１８に充填した試料の全量を分析流路８に注入する「全量注入方式」のオートサンプラを示しているが、本発明はこれに限定されず、「ループ注入方式」のオートサンプラについての同様に本発明を適用することができる。
【符号の説明】
【００９１】
２，２ａ，２ｂ，２ｃ      オートサンプラ
４      送液流路
６      送液ポンプ
８      分析流路
１０      分析カラム
１２      検出器
１４      注入バルブ
１６      サンプリング流路
１８      サンプルループ
２０      ニードル
２２      試料容器
２４      インジェクションポート
２６      シリンジ流路
２８      ３方弁
３０      シリンジポンプ
３２      制御部
３４      圧力回復動作部
３６      圧力変動緩和動作部
【図１】
2019008665.tif 000003
【図２】
2019008665.tif 000004
【図３】
2019008665.tif 000005
【図４】
2019008665.tif 000006
【図５】
2019008665.tif 000007
【図６】
2019008665.tif 000008
【図７】
2019008665.tif 000009
【図８】
2019008665.tif 000010
【図９】
2019008665.tif 000011
【図１０】
2019008665.tif 000012
【図１１】
2019008665.tif 000013
【図１２】
2019008665.tif 000014
【図１３】
2019008665.tif 000015
【図１４】
2019008665.tif 000016
【図１５】
2019008665.tif 000017
【図１６】
2019008665.tif 000018
【図１７】
2019008665.tif 000019
【図１８】
2019008665.tif 000020
【図１９】
2019008665.tif 000021
【図２０】
2019008665.tif 000022
【図２１】
2019008665.tif 000023
【国際調査報告】
2019008665.tif 000024
2019008665.tif 000025
2019008665.tif 000026
2019008665.tif 000027